(57)【要約】【課題】  ユーザが指定したノードに含まれる全画像ファイルというような、ある一定の条件を満たす複数のファイルの複製の操作を簡略化する【解決手段】    ファイルを識別するためのファイル識別情報と、そのファイルが画像情報またはテキスト情報等であるということを示す属性情報を前記ファイルに付加して記憶させ、また、前記ノードを識別するためのノード識別情報とそのノードを構成するファイルのファイル識別情報とを記憶させる記憶手段と、ユーザから一定の条件が設定されたノードまたはファイルの選択要求を受取る選択要求受付け手段と、前記選択要求受付け手段が受けた選択要求の条件を満たすノードまたはファイルを、前記記憶手段に記憶されている前記属性情報に基づいて検索し、その条件を満たすノードまたはファイルを前記記憶手段のノードまたはファイルから選択する選択手段とを有する。【選択図】  図３
2006053947.tif 000002
【特許請求の範囲】
【請求項１】
複数のファイルから構成されるノードを複数有するハイパーテキストから少なくとも一
のノードまたは一のファイルを選択する装置であって、
前記ファイルを識別するためのファイル識別情報と、そのファイルが画像情報またはテ
キスト情報等であるということを示す属性情報を前記ファイルに付加して記憶させ、また
、前記ノードを識別するためのノード識別情報とそのノードを構成するファイルのファイ
ル識別情報とを記憶させる記憶手段と、
ユーザから一定の条件が設定されたノードまたはファイルの選択要求を受取る選択要求
受付け手段と、
前記選択要求受付け手段が受けた選択要求の条件を満たすノードまたはファイルを、前
記記憶手段に記憶されている前記属性情報に基づいて検索し、その条件を満たすノードま
たはファイルを前記記憶手段のノードまたはファイルから選択する選択手段とを有する
ことを特徴とするハイパーテキスト処理装置。
【請求項２】
画像情報あるいはテキスト情報を有する複数のファイルを記憶する記憶手段と、
選択ファイル属性条件を有する選択要求を受け取る選択要求受付手段と、
前記選択ファイル属性条件を満たす前記ファイルを、前記複数のファイルのうちから全
て選択する選択手段とを有する
ことを特徴とするファイル処理装置。
【請求項３】
画像情報あるいはテキスト情報を有する複数のファイルを記憶する記憶手段と、
選択ファイル属性条件を有する選択要求を受け取る選択要求受付手段と、
前記選択ファイル属性条件を満たす前記ファイルを、前記複数のファイルのうちから全
て選択する選択手段と、
前記選択手段が選択した前記選択ファイル属性条件を満たす全てのファイルを複製する
複製部とを有する
ことを特徴とするファイル処理装置。
【請求項４】
複数のファイルから構成されるノードを複数有するハイパーテキストから少なくとも一
のノードまたは一のファイルを選択する方法であって、
前記ファイルを識別するためのファイル識別情報と、そのファイルが画像情報またはテ
キスト情報等であるということを示す属性情報を前記ファイルに付加して記憶させ、また
、前記ノードを識別するためのノード識別情報とそのノードを構成するファイルのファイ
ル識別情報とを記憶させる記憶ステップと、
ユーザから一定の条件が設定されたノードまたはファイルの選択要求を受取る選択要求
受付けステップと、
前記選択要求受付けステップにおける選択要求の条件を満たすノードまたはファイルを
、前記記憶ステップで記憶した前記属性情報に基づいて検索し、その条件を満たすノード
またはファイルを前記記憶ステップで記憶したノードまたはファイルから選択する選択ス
テップとを有する
ことを特徴とするファイル処理方法。
【請求項５】
画像情報あるいはテキスト情報を有する複数のファイルを記憶する記憶ステップと、
選択ファイル属性条件を有する選択要求を受け取る選択要求受付ステップと、
前記選択ファイル属性条件を満たす前記ファイルを、前記複数のファイルのうちから全
て選択する選択ステップとを有する
ことを特徴とするファイル処理方法。
【請求項６】
画像情報あるいはテキスト情報を有する複数のファイルを記憶する記憶ステップと、
選択ファイル属性条件を有する選択要求を受け取る選択要求受付ステップと、
前記選択ファイル属性条件を満たす前記ファイルを、前記複数のファイルのうちから全
て選択する選択ステップと、
前記選択した前記選択ファイル属性条件を満たす全てのファイルを複製する複製ステッ
プとを有する
ことを特徴とするファイル処理方法。
【発明の詳細な説明】
【技術分野】
【０００１】
本発明は、ノードが複数のファイルより構成されるハイパーテキストの複製、表示、消
去及び選択の装置と、複数のファイルの選択装置と、それらの方法に関する。
【背景技術】
【０００２】
「ハイパーテキスト」とは、複数のノードと呼ばれる情報単位と、リンクと呼ばれる各
ノード間を関連付けるノードへのポインタにより構成される。ハイパーテキストの読者は
、リンクを辿ることにより関連情報を次々と参照していくことができる。
【０００３】
このようなハイパーテキスト技術を利用したシステムとして代表的なものにＷＷＷ（Ｗ
ｏｒｌｄ  Ｗｉｄｅ  Ｗｅｄ）がある。人々はＷＷＷを利用することにより、世界中から
容易に情報を取得可能である。このＷＷＷでは、一つのノードはテキストファイル、画像
ファイル等の複数のファイルより構成されていることが多い。
【０００４】
一方、携帯情報機器が性能の向上に伴い急速に普及してきており、移動しながら、また
は移動した先々で電子的な情報の取得、発信、参照等の情報処理を行なう、モーバイル・
コンピューティングが盛んになってきた。このようなモーバイル・コンピューティング環
境では、例えばＷＷＷのサーバのような多くの情報を格納しているサーバに常にアクセス
できる保証がないため、ユーザは何度も参照する必要のある情報に関しては、それらを自
分の携帯情報機器に複製し、ハードディスク等の記憶装置に保存する必要がある。
【０００５】
しかしながら、従来のハイパーテキストシステムは、表示しているノードやユーザが指
定したノードに含まれる複数のファイルを一度に複製する機能を具備しておらず、それら
を自分の情報機器に記憶させる場合、ユーザはテキスト、画像等のファイルを一つ一つ指
定し、複製しなければならなかった。これはユーザに繁雑な操作を強いることとなってい
た。
【０００６】
また、従来のハイパーテキストシステムは、ユーザが指定したノードに含まれる全ファ
イル、もしくは、ユーザが指定したノードに含まれる全画像ファイルというようなユーザ
が指定した条件を満たすファイルを一度に複製する機能も具備していない。したがって、
これらを複製する場合もそれぞれのファイルを別々に指定し、複製する必要があり、操作
は繁雑なものとなっていた。
【０００７】
さらに、携帯情報機器のような記憶装置に十分な容量がない情報機器の場合、複製した
ノードを自分の情報機器に表示して参照した結果、そのノードが必要なくなると、表示し
ているノードに含まれる複数のファイルを記憶装置より消去する必要性が生じる。しかし
、従来のハイパーテキスト装置は、保存したノードを消去する機能を具備しておらず、ユ
ーザはファイルの操作が可能な別のツールでそれらを選択し、消去しなければならなかっ
た。この操作もユーザにとっては繁雑なものとなっていた。
【特許文献１】特開平０５−１０８４５６号公報
【特許文献２】特開平０８−１６１２１５号公報
【発明の開示】
【発明が解決しようとする課題】
【０００８】
このように、従来では、表示しているノードに含まれる複数のファイルの複製、表示し
ているノードに含まれる複数のファイルの消去、指定した条件を満たす複数のファイルの
複製には繁雑な操作が必要であった。
【０００９】
本発明は、このような点を鑑みてなされたもので、表示しているノードに含まれる複数
のファイルの複製や表示しているノードに含まれる複数のファイルの消去の操作を簡略化
すること、及びユーザが指定したノードに含まれる全ファイル、あるいは、ユーザが指定
したノードに含まれる全画像ファイルというような、ある一定の条件を満たす複数のファ
イルの複製の操作を簡略化することを目的とする。
【課題を解決するための手段】
【００１０】
請求項１記載の発明は、複数のファイルから構成されるノードを複数有するハイパーテ
キストから少なくとも一のノードまたは一のファイルを選択する装置であって、  前記フ
ァイルを識別するためのファイル識別情報と、そのファイルが画像情報またはテキスト情
報等であるということを示す属性情報を前記ファイルに付加して記憶させ、また、前記ノ
ードを識別するためのノード識別情報とそのノードを構成するファイルのファイル識別情
報とを記憶させる記憶手段と、  ユーザから一定の条件が設定されたノードまたはファイ
ルの選択要求を受取る選択要求受付け手段と、  前記選択要求受付け手段が受けた選択要
求の条件を満たすノードまたはファイルを、前記記憶手段に記憶されている前記属性情報
に基づいて検索し、その条件を満たすノードまたはファイルを前記記憶手段のノードまた
はファイルから選択する選択手段とを有する  ことを特徴とするハイパーテキスト処理装
置である。
【００１１】
請求項２記載の発明は、画像情報あるいはテキスト情報を有する複数のファイルを記憶
する記憶手段と、選択ファイル属性条件を有する選択要求を受け取る選択要求受付手段と
、前記選択ファイル属性条件を満たす前記ファイルを、前記複数のファイルのうちから全
て選択する選択手段とを有することを特徴とするファイル処理装置である。
【００１２】
請求項３記載の発明は、画像情報あるいはテキスト情報を有する複数のファイルを記憶
する記憶手段と、選択ファイル属性条件を有する選択要求を受け取る選択要求受付手段と
、前記選択ファイル属性条件を満たす前記ファイルを、前記複数のファイルのうちから全
て選択する選択手段と、前記選択手段が選択した前記選択ファイル属性条件を満たす全て
のファイルを複製する複製部とを有することを特徴とするファイル処理装置である。
【００１３】
請求項４記載の発明は、複数のファイルから構成されるノードを複数有するハイパーテ
キストから少なくとも一のノードまたは一のファイルを選択する方法であって、前記ファ
イルを識別するためのファイル識別情報と、そのファイルが画像情報またはテキスト情報
等であるということを示す属性情報を前記ファイルに付加して記憶させ、また、前記ノー
ドを識別するためのノード識別情報とそのノードを構成するファイルのファイル識別情報
とを記憶させる記憶ステップと、ユーザから一定の条件が設定されたノードまたはファイ
ルの選択要求を受取る選択要求受付けステップと、前記選択要求受付けステップにおける
選択要求の条件を満たすノードまたはファイルを、前記記憶ステップで記憶した前記属性
情報に基づいて検索し、その条件を満たすノードまたはファイルを前記記憶ステップで記
憶したノードまたはファイルから選択する選択ステップとを有することを特徴とするファ
イル処理方法である。
【００１４】
請求項５記載の発明は、画像情報あるいはテキスト情報を有する複数のファイルを記憶
する記憶ステップと、選択ファイル属性条件を有する選択要求を受け取る選択要求受付ス
テップと、前記選択ファイル属性条件を満たす前記ファイルを、前記複数のファイルのう
ちから全て選択する選択ステップとを有することを特徴とするファイル処理方法である。
【００１５】
請求項６記載の発明は、画像情報あるいはテキスト情報を有する複数のファイルを記憶
する記憶ステップと、選択ファイル属性条件を有する選択要求を受け取る選択要求受付ス
テップと、前記選択ファイル属性条件を満たす前記ファイルを、前記複数のファイルのう
ちから全て選択する選択ステップと、前記選択した前記選択ファイル属性条件を満たす全
てのファイルを複製する複製ステップとを有することを特徴とするファイル処理方法であ
る。
【発明の効果】
【００１６】
これらの発明によって、ユーザが指定したノードに含まれる全ファイル、あるいは、ユ
ーザが指定したノードに含まれる全画像ファイルというような、ある一定の条件を満たす
複数のファイルの選択を簡単な操作で行なうことができる。
【発明を実施するための最良の形態】
【００１７】
（第１の実施例）  図１、図２、図３及び図４を参照して、この発明の第１の実施例に係
るハイパーテキストの複製方法を説明する。
【００１８】
図１は、本実施例を示す機能ブロック図である。
【００１９】
このシステムは、ハイパーテキスト表示部１０１、複製部１０２、複製要求受付部１０
３、及び記憶部１０４を備えている。
【００２０】
ハイパーテキスト表示部１０１はディスプレイやウィンドゥ等に、ネットワークを介し
て他の情報機器より取得したノードや記憶装置が記憶しているノードを表示する。
【００２１】
ノードは複数のファイルに記憶された情報により構成される。また、ノードを構成する
ファイルの中には、ノードを識別するためのノード識別情報、及びノードを構成する各フ
ァイルに記憶されている情報の関係、例えば各情報の表示位置等を表す情報であるファイ
ル間関係情報を保持している基本ファイルが常に一つ含まれている。
【００２２】
複製要求受付部１０３は、例えばボタンまたはメニューを指し、ユーザからの複製要求
を受け付ける。
【００２３】
複製部１０２は、ユーザから複製要求を受けると、表示しているノードに含まれるファ
イルを複製元ファルを識別するための情報である複製元ファイル識別情報を付加して複製
し、記憶部１０４に複製したファイルの記憶を要求する。
【００２４】
記憶部１０４はハードディスク等の外部記憶装置を管理し、ハイパーテキストを構成す
るファイルの記憶や消去等を行う。
【００２５】
本実施例を実施した場合の表示画面の説明図を図２に示す。
【００２６】
複製要求受付部１０３は、図２に示すようなハイパーテキスト表示部１０１がノードを
表示するウィンドゥ上への配置や、異なるウィンドゥ上への配置が考えられる。
【００２７】
図３には、第１の実施例におけるノード複製の手順の１例が示されている。
【００２８】
なお、一のノードは、一の基本ファイルと、この基本ファイルに貼付けられる画像ファ
イル、テキストファイル等の少なくとも一以上の従属ファイルとより構成されている。
【００２９】
そして、以下の説明に出てくる各用語は、下記のように定義される。
【００３０】
「ノード識別情報」とは、複数のノードから一のノードを識別するための情報である。
したがって、ノード識別情報を指定すれば、一の基本ファイルが得られる。
【００３１】
「ファイル間関係情報」とは、基本ファイルと各従属ファイルとの関係を示す情報であ
る。
【００３２】
「従属ファイル識別情報」とは、複数の従属ファイルから一の従属ファイルを識別する
ための情報である。
【００３３】
まず、ステップ１１１においてユーザの複製要求を複製要求受付部１０３が受け取る。
【００３４】
次に、ステップ１１２において、複製部１０２は表示ノード中に未複製のファイルが存
在するかを調べる。これは、例えば、ノードを表示した時またはユーザより複製要求を受
けた時にハイパーテキスト表示部１０１が表示しているノードに含まれるファイルを調べ
、それらと記憶部１０４の記憶装置が記憶しているファイルとを比較することにより調べ
ることができる。
【００３５】
もし、ステップ１１２において、未複製のファイルが存在しない場合は処理を終了する
。例えば、既に複製したことがあるにもかかわらず、ユーザがもう一度複製要求を出した
場合がこれに相当する。
【００３６】
もし、ステップ１１２において、未複製のファイルが存在する場合はステップ１１３に
進む。
【００３７】
ステップ１１３において、複製部１０２は全ての未複製の基本ファイル及び従属ファイ
ルを複製する。この場合に、基本ファイルには、ファイル間関係情報を付加し、従属ファ
イルには従属ファイル識別情報を付加する。そして、それら複製したファイルの記憶を記
憶部１０４に要求する。
【００３８】
ステップ１１４において、記憶部１０４は複製部１０２が要求したファイルを記憶装置
に記憶し処理を終了する。
【００３９】
これにより、ユーザはボタン等で複製要求を出すだけで、ノード内の全てのファイルを
ノードとして再構成可能な状態で容易に複製することができる。
【００４０】
図４に、本発明により複製した複数のファイルより、ノードを再構成する手順を示す。
【００４１】
ステップ１２１において、ユーザからノードの表示要求を受ける。
【００４２】
ステップ１２２において、複製したファイル中の各基本ファイルのノード識別情報を参
照することによってユーザより要求されたノードの基本ファイルを得る。
【００４３】
ステップ１２３において、ステップ１２２で得た基本ファイルに含まれるノードを構成
する従属ファイル及び基本ファイルと従属ファイルとの関係を表すファイル間関係情報を
得る。
【００４４】
ステップ１２４において、ファイル間関係情報、及び各従属ファイルに含まれる従属フ
ァイル識別情報によりノードを構成する複製ファイルを取得する。
【００４５】
ステップ１２５において、ファイル間関係情報を用いて、及びステップ１２４で取得し
た複製ファイルを用いてユーザより要求されたノードを再構成する。
【００４６】
最後に、ステップ１２６において構成したノードを表示する。
【００４７】
上記説明では、本実施例をハードウエアで実現する場合を説明したが、本実施例は、図
３及び図４フローチャートの処理を実現できるように、複製部１０２、複製要求受付け部
１０３の機能をプログラムで構成し、図１４に示すようなＣＤ−ＲＯＭ１２に記憶させ、
これを携帯情報端末機１０に記憶させて、これで実行すればよい。なお、この場合に、ハ
イパーテキスト表示部１０１は、携帯情報端末機１０の表示部１４が該当する。また、記
憶部１０４は、携帯情報機器１０のハードディスク装置が該当する。これにより、携帯情
報機器１０でも本実施例を実現できる。
【００４８】
（第２の実施例）  次に、図５、図６及び図７を参照して、この発明の第２の実施例に係
るハイパーテキストの消去方法を説明する。
【００４９】
図５は、第２の実施例を示す機能ブロック図である。
【００５０】
このシステムは、ハイパーテキスト表示部２０１、消去部２０２、消去要求受付部２０
３、及び記憶部２０４を備えている。ハイパーテキスト表示部２０１及び記憶部２０４は
第１の実施例と同じ機能を持つ。消去要求受付部２０３とは例えばボタンまたはメニュー
を指し、ユーザからの消去要求を受け付ける。消去部２０２はユーザから消去要求を受け
ると、表示しているノードに含まれるファイルの消去要求を記憶部２０４に出す。
【００５１】
本実施例を実施した場合の表示画面の説明図を図６に示す。
【００５２】
複製要求受付部２０３は図６に示すようなハイパーテキスト表示部２０１がノードを表
示するウィンドゥ上への配置や異なるウィンドゥ上への配置が考えられる。
【００５３】
図７には、第２の実施例における消去の手順が示されている。
【００５４】
ステップ２１１においてユーザの消去要求を消去要求受付部２０３が受け取る。
【００５５】
ステップ２１２において、消去部２０２は表示ノード中に未消去のファイルを調べる。
これは、例えば、ノードを表示した時またはユーザより消去要求を受けた時にハイパーテ
キスト表示部２０１が表示しているノードに含まれるファイルを調べ、それらと記憶装置
が記憶しているファイルとを比較することにより調べることができる。
【００５６】
もし、ステップ２１２において、未消去のファイルが存在しない場合は処理を終了する
。例えば、既に消去したことがあるにもかかわらず、ユーザがもう一度消去要求を出した
場合がこれに相当する。
【００５７】
もし、ステップ２１２において、未消去のファイルが存在する場合はステップ２１３に
進む。
【００５８】
ステップ２１３において消去部２０２は全ての未消去ファイルの消去を記憶部２０４に
要求する。例えば、一のノードの消去が要求された場合には、そのノード識別情報から基
本ファイルを選び、この基本ファイルに付加しているファイル間関係情報から各従属ファ
イルを選び、その従属ファイル識別情報とノード識別情報を記憶部２０４に通知する。
【００５９】
ステップ２１４において記憶部２０４は消去部２０２が通知した従属ファイル識別情報
とノード識別情報に基づいて記憶装置からそのファイルを消去し処理を終了する。
【００６０】
これにより、ユーザはボタン等で消去要求を出すだけで、ノード内の全てのファイルを
簡単に記憶部２０４より消去することができる。
【００６１】
上記説明では、本実施例をハードウエアで実現する場合を説明したが、本実施例は、図
７のフローチャートの処理を実現できるように、消去部２０２、消去要求受付け部２０３
の機能をプログラムで構成し、図１４に示すようなＣＤ−ＲＯＭ１２に記憶させ、これを
携帯情報機器１０に記憶させて、これで実行すればよい。なお、この場合に、ハイパーテ
キスト表示部１０１は、携帯情報機器１０の表示部１４が該当する。また、記憶部２０４
は、携帯情報機器１０のハードディスク装置が該当する。これにより、携帯情報機器１０
でも本実施例を実現できる。
【００６２】
（第３の実施例）  次に、図８を参照して、この発明の第３の実施例に係るハイパーテキ
ストの複製及び消去方法を説明する。
【００６３】
図８は、第３の実施例を示す機能ブロック図である。
【００６４】
このシステムは第１の実施例及び第２の実施例両方の機能ブロックを備えている。これ
により、ユーザはボタン等で要求を出すだけで、ノード内の全てのファイルを簡単に複製
することができ、さらに複製したノードの中で不必要になったものや、間違って複製した
ノードもボタン等で要求を出すだけで簡単に消去することができる。
【００６５】
上記説明では、本実施例をハードウエアで実現する場合を説明したが、本実施例は、図
７のフローチャートの処理を実現できるように、消去部１０２、消去要求受付け部１０３
の機能をプログラムで構成し、図１４に示すようなＣＤ−ＲＯＭ１２に記憶させ、これを
携帯情報機器１０に記憶させて、これで実行すればよい。なお、この場合にハイパーテキ
スト表示部１０１は、携帯情報機器１０の表示部１４となる。これにより、携帯情報機器
１０でも本実施例を実現できる。
【００６６】
（第４の実施例）  次に、図９、図１０、図１１、図１２及び図１３を参照して、この
発明の第４の実施例に係るハイパーテキストの複製方法を説明する。
【００６７】
図９は、第４の実施例を示す機能ブロック図である。
【００６８】
このシステムは、ハイパーテキスト表示部４０１、複製条件設定部４０２、選択部４０
３、複製部４０４、複製要求受付部４０５及び記憶部４０６を備えている。
【００６９】
ハイパーテキスト表示部４０１、複製要求受付部４０５、記憶部４０６は第１の実施例
のものと同様である。
【００７０】
複製条件設定部４０２は、例えば、ユーザが指定したノードに含まれる全ファイル、あ
るいは、ユーザが指定したノードに含まれる全画像ファイルというような複製条件を設定
する。
【００７１】
選択部４０３は、複製条件設定部４０２に設定された条件を満たすノードまたはファイ
ルを、自機器の記憶装置やネットワークを介して接続された他の記憶装置より選択する。
【００７２】
複製部４０４は、選択部４０３が選択したファイルの複製を記憶部４０６に要求する。
【００７３】
本実施例を実施した場合の表示画面の説明図を図１０に示す。
【００７４】
複製要求受付部４０５は図１０に示すようなハイパーテキスト表示部４０１がノードを
表示するウィンドゥ上への配置や異なるウィンドゥ上への配置が考えられる。
【００７５】
図１１を用いてユーザが指定した複数のノードに含まれる全ファイルという条件を複製
条件設定部４０２に設定した場合の選択部４０３の動作を説明する。
【００７６】
ステップ４２１において、選択部４０３はユーザが指定した各ノードの基本ファイルを
自機器の記憶装置やネットワークを介して接続された他の記憶装置より取得する。
【００７７】
ステップ４２２において、選択部４０３は取得した各基本ファイルに含まれるファイル
間関係情報を用いてユーザの指定した各ノードを構成する全ファイルを選択する。
【００７８】
また、図１２を用いて、ユーザが指定したノードに含まれる全画像ファイルという条件
を複製条件設定部４０２に設定した場合の選択部４０３の動作を説明する。
【００７９】
ステップ４３１において、選択部４０３はユーザが指定した各ノードの基本ファイルを
自機器の記憶装置やネットワークを介して接続された他の記憶装置より取得する。
【００８０】
ステップ４３２において、選択部４０３は取得した各基本ファイルに含まれるファイル
間関係情報を用いてノードを構成するファイルまたはファイルの属性情報を取得する。
【００８１】
ステップ４３３において、選択部４０３は取得したファイルの属性情報やファイルに記
憶されている情報を解析することによりユーザが指定した各ノードに含まれる画像ファイ
ルを選択する。
【００８２】
図１３には、第４の実施例におけるノード複製の手順が示されている。
【００８３】
ステップ４１１において、ユーザの複製要求を複製要求受付部４０５が受け取る。
【００８４】
ステップ４１２において、複製部４０４は選択部４０３が選択した複製条件設定部４０
２に設定された条件を満たすファイルの中で未複製のフィルが存在するかを調べる。これ
は、例えば、選択部４０３が選択したファイルと記憶部４０６が記憶しているファイルと
を比較することにより調べることができる。
【００８５】
もし、ステップ４１２において、未複製のファイルが存在しない場合は処理を終了する
。例えば、既に複製したことがあるにもかかわらず、ユーザがもう一度複製要求を出した
場合がこれに相当する。
【００８６】
もし、ステップ４１２において、未複製のファイルが存在する場合はステップ４１３に
進む。ステップ４１３において複製部４０４は全ての未複製ファイルの複製を記憶部４０
６に要求する。
【００８７】
ステップ４１４において、記憶部４０６は複製部４０４が要求したファイルを記憶装置
に複製し処理を終了する。
【００８８】
これにより、ユーザはボタン等で複製要求を出すだけで、例えば、ユーザが指定した複
数のノード内の全てのファイルの複製やユーザが指定したノード内のファイルの中に含ま
れる全ての画像ファイルの複製等を容易な操作で行うことができる。
【００８９】
上記説明では、本実施例をハードウエアで実現する場合を説明したが、本実施例は、図
７のフローチャートの処理を実現できるように、複製条件設定部４０２、選択部４０３、
複製要求受付け部４０５、複製部４０４の機能をプログラムで構成し、図１４に示すよう
なＣＤ−ＲＯＭ１２に記憶させ、これを携帯情報機器１０に記憶させて、これで実行すれ
ばよい。なお、この場合に、ハイパーテキスト表示部４０１は、携帯情報機器１０の表示
部１４が該当する。また、記憶部４０６は、携帯情報機器１０のハードディスク装置が該
当する。これにより、携帯情報機器１０でも本実施例を実現できる。
【図面の簡単な説明】
【００９０】
【図１】この発明の第１の実施例を示す機能ブロック図である。
【図２】この発明の第１の実施例の表示画面の説明図である。
【図３】この発明の第１の実施例におけるノード複製の手順を示すフローチャートである。
【図４】この発明の第１の実施例におけるノードの再構成の手順を示すフローチャートである。
【図５】この発明の第２の実施例を示す機能ブロック図である。
【図６】この発明の第２の実施例の表示画面の説明図である。
【図７】この発明の第２の実施例におけるノード複製の手順を示すフローチャートである。
【図８】この発明の第３の実施例を示す機能ブロック図である。
【図９】この発明の第４の実施例を示す機能ブロック図である。
【図１０】この発明の第４の実施例の表示画面の説明図である。
【図１１】この発明の第４の実施例におけるファイル選択の手順を示すフローチャートである。
【図１２】この発明の第４の実施例におけるファイル選択の手順を示すフローチャートである。
【図１３】この発明の第４の実施例におけるノード複製の手順を示すフローチャートである。
【図１４】この発明の実施するための携帯情報機器の斜視図である。
【符号の説明】
【００９１】
１０１…表示部
１０２…複製部
１０３…複製要求受付部
１０４…記憶部
２０１…表示部
２０２…消去部
２０３…消去要求受付部
２０４…記憶部
３０１…表示部
３０２…複製部
３０３…複製要求受付部
３０４…消去部
３０５…消去要求受付部
３０６…記憶部
４０１…表示部
４０２…複製条件設定部
４０３…選択部
４０４…複製部
４０５…複製要求受付部
４０６…記憶部
【図１】
2006053947.tif 000003
【図２】
2006053947.tif 000004
【図３】
2006053947.tif 000005
【図４】
2006053947.tif 000006
【図５】
2006053947.tif 000007
【図６】
2006053947.tif 000008
【図７】
2006053947.tif 000009
【図８】
2006053947.tif 000010
【図９】
2006053947.tif 000011
【図１０】
2006053947.tif 000012
【図１１】
2006053947.tif 000013
【図１２】
2006053947.tif 000014
【図１３】
2006053947.tif 000015
【図１４】
2006053947.tif 000016